(57)【要約】個人用コンテンツアイテムを作る方法において、コンテンツアイテム(1,100)を記述する第１の記述子(2)は、パーソナルメディアアイテム(3,64)を記述する第２の記述子(4)と比較され(6)、第１の記述子(2)と第２の記述子(4)との間に関係が存在する場合に、パーソナルメディアアイテム(3,64)がコンテンツアイテム(1,100)に組み込まれる。個人用コンテンツアイテムを作る電子装置は、受信機(22)と、インタフェース(24)と、コントロールユニット(28)とを有する。受信機は、第１の記述子により記述されたコンテンツアイテムを有する信号を受信することができる。コントロールユニット(28)は、第２の記述子により記述されたパーソナルメディアアイテムを記憶手段から取り出し、本発明の方法を実行するためにインタフェースを使用することができる。システムは、コンテンツアイテムを記述する第１の記述子を、コンテンツアイテムを有する信号に挿入し、その信号を送信することができる構成要素(42)と、１つ以上の第２の記述子により記述された１つ以上のパーソナルメディアアイテムを格納することができる構成要素(44)と、信号を受信し、本発明の方法を実行することができる構成要素(46)とを有する。コンピュータプログラム製品は、本発明の方法を実行する機能を有する。
2006508575.tif 000002
【特許請求の範囲】
【請求項１】
個人用コンテンツアイテムを作る方法であって、
パーソナルメディアアイテムをコンテンツアイテムに組み込むステップを有し、
前記コンテンツアイテムを記述する第１の識別子と、前記パーソナルメディアアイテムを記述する第２の記述子とを比較するステップと、
前記第１と前記第２の記述子との間に関係が存在する場合に、前記パーソナルメディアアイテムを前記コンテンツアイテムに組み込むステップと
を更に有することを特徴とする方法。
【請求項２】
請求項１に記載の方法であって、
前記パーソナルメディアアイテムを前記コンテンツアイテムに組み込むステップは、個人写真を前記コンテンツアイテムに組み込むことを有することを特徴とする方法。
【請求項３】
請求項１に記載の方法であって、
更なるステップは、少なくとも１つの前記記述子を使用することによりテキストを構成し、前記テキストを前記コンテンツアイテムに組み込むことを有することを特徴とする方法。
【請求項４】
請求項１に記載の方法であって、
前記パーソナルメディアアイテムを前記コンテンツアイテムに組み込むステップは、前記パーソナルメディアアイテムをコマーシャルに組み込むことを有することを特徴とする方法。
【請求項５】
請求項１に記載の方法であって、
前記パーソナルメディアアイテムを前記コンテンツアイテムに組み込むステップは、前記パーソナルメディアアイテムを前記コンテンツアイテムの印のある部分に組み込むことを有することを特徴とする方法。
【請求項６】
請求項１に記載の方法であって、
前記パーソナルメディアアイテムを前記コンテンツアイテムに組み込むステップは、前記パーソナルメディアアイテムを以下の位置：前記コンテンツアイテムの最初のフレームの前と、最後のフレームの後とのうち少なくとも１つに挿入することを有することを特徴とする方法。
【請求項７】
請求項１に記載の方法であって、
更なるステップは、コンテンツ分析を使用して少なくとも１つの前記記述子を生成することを有することを特徴とする方法。
【請求項８】
個人用コンテンツを作る電子装置であって、
第１の記述子により記述されたコンテンツアイテムを有する信号を受信可能な受信機と、
第２の記述子により記述されたパーソナルメディアアイテムを有するパーソナルメディアのコレクションを格納する第１の記憶手段とインタフェース接続する第１のインタフェースと、
前記第１の記憶手段から前記パーソナルメディアアイテムを取り出し、前記第１の識別子と前記第２の識別子とを比較し、前記第１と前記第２の識別子との間に関係が存在する場合に、前記パーソナルメディアアイテムを前記コンテンツアイテムに組み込むために前記第１のインタフェースを使用することができるコントロールユニットと
を有する電子装置。
【請求項９】
請求項８に記載の電子装置であって、
第２の記述子のコレクションを格納する第２の格納手段とインタフェース接続する第２のインタフェースを更に有し、
前記コントロールユニットは、前記第２の記憶手段から前記第２の記述子を取り出すために前記第２のインタフェースを使用することができることを特徴とする電子装置。
【請求項１０】
請求項８に記載の電子装置であって、
前記コントロールユニットは、コンテンツ分析を使用して少なくとも１つの前記記述子を生成することが可能な電子装置。
【請求項１１】
個人用コンテンツを作るシステムであって、
コンテンツアイテムを記述する第１の記述子を、前記コンテンツアイテムを有する信号に挿入し、前記信号を送信することができる構成要素と、
第２の記述子により記述されたパーソナルメディアアイテムを有するパーソナルメディアのコレクションを格納することができる構成要素と、
前記信号を受信し、前記第１の記述子と前記第２の記述子とを比較し、前記第１と前記第２の記述子との間に関係が存在する場合に、前記パーソナルメディアアイテムを前記コンテンツアイテムに組み込むことができる構成要素と
を有するシステム。
【請求項１２】
個人用コンテンツを作るコンピュータプログラム製品であって、
コンテンツアイテムを記述する第１の記述子と、パーソナルメディアアイテムを記述する第２の記述子とを比較し、
前記第１と前記第２の記述子との間に関係が存在する場合に、前記パーソナルメディアアイテムを前記コンテンツアイテムに組み込む機能を有するコンピュータプログラム製品。
【発明の詳細な説明】
【技術分野】
【０００１】
本発明は、個人用コンテンツアイテムを作る方法に関するものであり、パーソナルメディアアイテムをコンテンツアイテムに組み込むステップを有する。
【０００２】
本発明は、個人用コンテンツアイテムを作ることができる電子装置に更に関するものである。
【０００３】
本発明は、個人用コンテンツアイテムを作ることができるシステムに更に関するものである。
【０００４】
本発明は、個人用コンテンツアイテムを作るコンピュータプログラム製品に更に関するものである。
【背景技術】
【０００５】
方法の実施例は、WO01/50416から既知である。既知の方法は、ユーザ用の取り込み領域を提供し、ユーザからの動作を導き出し、ビデオカメラを使用してオーディオ及び／又はビデオを記録することにより、その動作を取り込む。許容範囲の動作の記録は、事前記録の及び／又は動的なオーディオ及び／又はビデオテンプレートに自動的に構成及び／又は編集される。結果の個人用コンテンツはその後の配信用に格納される。
【０００６】
個人用コンテンツが作られ得る前にユーザから動作が導き出されなければならないことが、既知の方法の欠点である。ユーザにより実行される必要のある動作は、事前記録の及び／又は動的なオーディオ及び／又はビデオテンプレートに依存する。
【発明の開示】
【発明が解決しようとする課題】
【０００７】
冒頭パラグラフに記載されたような方法を提供することが本発明の第１の目的であり、その方法は、適切な事前記録の及び／又は動的なコンテンツへの既存のメディアアイテムの組み込みを可能にする。
【０００８】
冒頭パラグラフに記載されたような電子装置を提供することが本発明の第２の目的であり、その電子装置は、適切な事前記録の及び／又は動的なコンテンツに既存のメディアアイテムを組み込むことができる。
【０００９】
冒頭パラグラフに記載されたようなシステムを提供することが本発明の第３の目的であり、そのシステムは、適切な事前記録の及び／又は動的なコンテンツに既存のメディアアイテムを組み込むことができる。
【００１０】
冒頭パラグラフに記載されたようなコンピュータプログラム製品を提供することが本発明の第４の目的であり、そのコンピュータプログラム製品は、適切な事前記録の及び／又は動的なコンテンツに既存のメディアアイテムを組み込むために使用され得る。
【課題を解決するための手段】
【００１１】
本発明によると、第１の目的は、その方法が、コンテンツアイテムを記述する第１の識別子と、パーソナルメディアアイテムを記述する第２の記述子とを比較するステップと、第１と第２の記述子との間に関係が存在する場合に、パーソナルメディアアイテムをコンテンツアイテムに組み込むステップとを更に有することで実現される。休暇の写真についての第２の識別子は、例えば、“休暇、ハワイ、島”を有してもよく、トロピカル飲料のコマーシャルについての第１の識別子は、例えば、“トロピカル、島、飲料、Maloa”を有してもよい。２つの記述子の関係は、例えば、双方の記述子に‘島’の存在を有してもよく、また、第２の識別子に‘ハワイ’の存在、及び第１の識別子に‘トロピカル’の存在を有してもよく、ハワイは米国のトロピカルアイランドである。休暇の写真を飲料のコマーシャルに組み込むことにより、既存のメディアアイテムは適切な事前記録の及び／又は動的なコンテンツに組み込まれる。コンテンツアイテムが消費者に送信される前に、又はパーソナルメディアアイテムが消費者電子製品に組み込まれ得る前に、パーソナルメディアアイテムがコンテンツアイテムに組み込まれ得る。コンテンツアイテムとパーソナルメディアアイテムは、オーディオ、ビデオ、テキスト、画像、グラフィック又はその如何なる組み合わせをそれぞれ有してもよい。コンテンツアイテムは、例えばバナー広告を有するウェブページでもよい。記述子は、読取可能フォーマット(例えばXML)又は符号化フォーマットに１つ以上のキーワードを有してもよい。フォーマットはオープンでもよく、独自仕様でもよい。キーワードの語彙は限られてもよく、無限でもよい。
【００１２】
本発明の方法の実施例では、パーソナルメディアアイテムをコンテンツアイテムに組み込むステップは、個人写真をコンテンツアイテムに組み込むことを有する。デジタル写真のコレクションを所有する人が増えており、デジタル写真は容易にコンテンツアイテムに組み込まれ得る。パーソナルオーディオ記録及びパーソナルムービーもコンテンツアイテムに組み込まれてもよいが、個人写真は同じ懐かしい効果を提供しながら短期間に有利に表示され得る。
【００１３】
更なるステップは、少なくとも１つの記述子を使用することによりテキストを構成し、そのテキストをコンテンツアイテムに組み込むことを有してもよい。テキストを組み込むことにより、パーソナルメディアアイテムとコンテンツアイテムとの間の関連が強調されてもよい。例えば、‘Maloaでハワイの休暇を思い出す’というテキストは、トロピカル飲料のコマーシャルに組み込まれた休暇の写真に添えてもよい。
【００１４】
パーソナルメディアアイテムをコンテンツアイテムに組み込むステップは、パーソナルメディアアイテムをコマーシャルに組み込むことを有してもよい。コマーシャルは、その他の種類のコンテンツに比べてしばしば視聴者に対してあまり重要でないため、パーソナライズ化から最も恩恵を受ける可能性がある。
【００１５】
パーソナルメディアアイテムをコンテンツアイテムに組み込むステップは、パーソナルメディアアイテムをコンテンツアイテムの印のある部分に組み込むことを有してもよい。コンテンツアイテムは、パーソナルメディアアイテムが組み込まれ得る領域(例えばフレームの特定のセットのスクリーンの領域)を提供するように適合されてもよい。このことにより、パーソナルメディアアイテムと非パーソナルメディアアイテムを同じスクリーンで混ぜることが可能になる。例えば１つは休暇の写真表示し、１つはトロピカル飲料を表示する２つの写真が同時に表示され得る。それはまた、コマーシャルの迷惑な中断を妨げる。そのコマーシャルの迷惑な中断は、パーソナルメディアアイテムがスクリーンのランダムな領域に組み込まれた場合又はコマーシャルにランダムに挿入された場合に生じ得る
代替として、パーソナルメディアアイテムをコンテンツアイテムに組み込むステップは、パーソナルメディアアイテムを以下の位置：コンテンツアイテムの最初のフレームの前と、最後のフレームの後とのうち少なくとも１つに挿入することを有してもよい。コンテンツアイテムを適合させることが便利又は可能でない場合に、この特徴は有利である。コマーシャルは短期間を有しており、そのため比較的短い期間に複数のパーソナルメディアアイテムの表示が可能になるため、コマーシャルはこの特徴から最も恩恵を受ける可能性がある。コンテンツのフレームは、例えば、オーディオ、ビデオ、又は同期のオーディオ及びビデオフレームでもよい。
【００１６】
更なるステップは、コンテンツ分析を使用することにより、少なくとも１つの記述子を生成することを有してもよい。コンテンツアイテムは記述子なしで提供されることがあり、また、記述子を生成することはかなりの努力を要することがある。コンテンツ分析は双方の問題を解決することがある。休暇の写真の分析は、例えば、‘島、トロピカル、水’を有する記述子を生成してもよい。
【００１７】
本発明によると、第２の目的は、その電子装置が、第１の記述子により記述されたコンテンツアイテムを有する信号を受信可能な受信機と、第２の記述子により記述されたパーソナルメディアアイテムを有するパーソナルメディアのコレクションを格納する第１の記憶手段とインタフェース接続する第１のインタフェースと、第１の記憶手段からパーソナルメディアアイテムを取り出し、第１の識別子と第２の識別子とを比較し、第１と第２の識別子との間に関係が存在する場合に、パーソナルメディアアイテムをコンテンツアイテムに組み込むために第１のインタフェースを使用することができるコントロールユニットとを有することで実現される。本発明の電子装置は、例えば、TV、DVDレコーダ又はパーソナルビデオレコーダでもよい。
【００１８】
本発明の装置の実施例は、第２の記述子のコレクションを格納する第２の格納手段とインタフェース接続する第２のインタフェースを更に有し、コントロールユニットは、第２の記憶手段から第２の記述子を取り出すために第２のインタフェースを使用することができる。第１及び第２の記憶手段は、同じハードウェアの論理的又は物理的に異なる部分でもよい。コントロールユニットが第２の記述子を生成できない場合、コントロールユニットが第２の記述子を不十分に生成する場合、又は第２の記述子のコレクションが既に提供されている場合に、この実施例が有利である。
【００１９】
コントロールユニットは、コンテンツ分析を使用して少なくとも１つの記述子を生成することが可能でもよい。第１の記述子が信号に含まれておらず、全く取り出し不可能である場合に、この特徴は有利である。第２の記述子がパーソナルメディアのコレクション又はその他の記憶手段に格納されていない場合にも、この特徴は有利である。
【００２０】
本発明によると、第３の目的は、そのシステムが、コンテンツアイテムを記述する第１の記述子を、コンテンツアイテムを有する信号に挿入し、その信号を送信することができる構成要素と、第２の記述子により記述されたパーソナルメディアアイテムを有するパーソナルメディアのコレクションを格納することができる構成要素と、信号を受信し、第１の記述子と第２の記述子とを比較し、第１と第２の記述子との間に関係が存在する場合に、パーソナルメディアアイテムをコンテンツアイテムに組み込むことができる構成要素とを有することで実現される。
【００２１】
本発明によると、第４の目的は、そのコンピュータプログラム製品が、コンテンツアイテムを記述する第１の記述子と、パーソナルメディアアイテムを記述する第２の記述子とを比較し、第１と第２の記述子との間に関係が存在する場合に、パーソナルメディアアイテムをコンテンツアイテムに組み込む機能を有することで実現される。
【００２２】
本発明の方法、装置、システム及びコンピュータプログラム製品の前記及び他の態様は、添付図面を参照して更に明らかになり、説明が行われる。
【発明を実施するための最良の形態】
【００２３】
図面の対応する要素は、同じ参照数字により特定される。
【００２４】
図１において、個人用コンテンツアイテムを作る方法は、コンテンツアイテム1を記述する第１の記述子2と、パーソナルメディアアイテム3を記述する第２の記述子4とを比較するステップ6と、第１の記述子2と第２の記述子4との間に関係が存在する場合に、パーソナルメディアアイテム3をコンテンツアイテム1に組み込むステップ8とを有する。ステップ8は、第１の記述子2と第２の記述子4との間に関係が存在する場合にのみ実行される。
【００２５】
第１の記述子2と複数のパーソナルメディアアイテム3の複数の第２の記述子4との間に複数の関係が存在する場合、コンテンツアイテム1への組み込みのために、少なくとも１つのパーソナルメディアアイテム3が選択されてもよい。第２の記述子4と複数のコンテンツアイテム1の複数の第１の記述子2との間に複数の関係が存在する場合、少なくとも１つのコンテンツアイテム1が選択され、パーソナルメディアアイテム3が少なくとも１つのコンテンツアイテムに組み込まれてもよい。最初の又はランダムにマッチするパーソナルメディアアイテム又はコンテンツアイテムが選択されてもよく、また、選択はパーソナルメディアアイテム若しくはコンテンツアイテムが表示された回数及び／又はパーソナルメディアアイテム若しくはコンテンツアイテムが最後に表示された時間に基づいてもよい。悪い品質のパーソナルメディアアイテムは、良い品質のパーソナルメディアアイテムより頻繁に表示されないことがある。
【００２６】
図２において、個人用コンテンツアイテムを作る方法の実施例は、図１のステップ6及び8を有する。その方法はまた、コンテンツアイテム1及び任意選択で第１の記述子2を受信するステップ11と、パーソナルメディアアイテム3及び任意選択で第２の記述子4を受信するステップ12とを有してもよい。パーソナルメディアアイテムが取り出される順序は、複数の関係が存在する場合には、パーソナルメディアアイテムのうち１つの選択(例えば、マッチするパーソナルメディアアイテムのランダムな選択を可能にするように、ランダムなパーソナルメディアアイテムを取り出すこと)を可能にするように適合されてもよい。その方法は、コンテンツ分析を使用してコンテンツアイテム1用の第１の記述子2を生成するステップ13、及び／又はコンテンツ分析を使用してパーソナルメディアアイテム3用の第２の記述子4を生成するステップ14を有してもよい。
【００２７】
その方法は、記述子2と4とのうち少なくとも１つを使用してテキスト18を構成するステップ15と、テキスト18をコンテンツアイテム1に組み込むステップ16とを有してもよい。第１の記述子2と第２の記述子4との間に関係が存在する場合にのみ、ステップ15及び16が実行されるべきである。ステップ6でそのような関係が存在しない場合、他のパーソナルメディアアイテム3が利用可能であるか否かに応じて、ステップ11又はステップ12が実行されてもよい。ステップ8の後に、複数のパーソナルメディアアイテム3がコンテンツアイテム1に組み込まれており、他のパーソナルメディアアイテム3が利用可能である場合に、更なるパーソナルメディアアイテム3がステップ12で取り出されてもよい。その他の場合に、ステップ11が実行されてもよい。
【００２８】
本発明の方法のその他の実施例では、パーソナルメディアアイテムが受信されてもよく、コンテンツアイテムが取り出されてもよい。例えば、記憶手段は、いつパーソナルメディアアイテムがコンテンツアイテムに組み込まれるかを決定し、本発明の方法を実行する電子装置へのパーソナルメディアアイテムの送信を開始してもよい。パーソナルメディアアイテムを受信した後に、電子装置は適切なコンテンツアイテムを受信することが可能でもよい。
【００２９】
図３において、個人用コンテンツアイテムを作る電子装置20は、受信機22と、第１の記憶手段26とインタフェース接続する第１のインタフェース24と、コントロールユニット28とを有する。本発明の電子装置は、例えば、TV、DVDレコーダ又はパーソナルビデオレコーダでもよい。受信機22は、第１の記述子により記述されたコンテンツアイテムを有する信号を受信することができる。受信機22は、無線及び／又はケーブルを通じて信号を受信可能でもよい。ケーブルはコネクタ30を通じてケーブルオペレータ又は衛星受信機に接続されてもよい。受信機22はインターネットサービスプロバイダから信号を受信可能でもよい。第１の記憶手段26は、第２の記述子により記述されたパーソナルメディアアイテムを有するパーソナルメディアのコレクションを格納することができる。コントロールユニット28は、第１の記憶手段26からパーソナルメディアアイテムを取り出し、第１の記述子と第２の記述子とを比較し、第１と第２の記述子との間に関係が存在する場合に、パーソナルメディアアイテムをコンテンツアイテムに組み込むために、第１のインタフェース24を使用することができる。コントロールユニット28は、コネクタ32を通じて接続されたディスプレイ34を使用して、個人用コンテンツアイテムを表示可能でもよい。コントロールユニット28はマイクロプロセッサでもよい。ディスプレイ34は、例えば、CRT、プラズマ、LCD又はLCOSテレビでもよい。コネクタ32は、例えば、EURO-SCART、コンポジット(composite)又はコンポーネントビデオコネクタ(component  vide  connector)でもよい。
【００３０】
電子装置20は、第２の記述子のコレクションを格納する第２の記憶手段38とインタフェース接続する第２のインタフェース36を更に有してもよい。電子装置20は、第２の記憶手段38から第２の記述子を取り出すために第２のインタフェース36を使用可能でもよい。コントロールユニット28は、コンテンツ分析を使用して少なくとも１つの記述子を生成可能でもよい。第１の記憶手段26と第２の記憶手段38は、電子装置20又は外部装置に含まれてもよい。第１の記憶手段26と第２の記憶手段38は、同じハードウェアの物理的又は論理的に異なる部分でもよい。第１のインタフェースと第２のインタフェースは、同じハードウェアの物理的又は論理的に異なる部分でもよい。第１の記憶手段26と第２の記憶手段38は、不揮発性ランダムアクセスメモリ、磁気媒体又は光媒体をそれぞれ有してもよい。第１のインタフェース24と第２のインタフェース36は、例えば、メモリバス、IDEインタフェース、USBインタフェース又はIEEE1394インタフェースでもよい。
【００３１】
図４において、システムは、コンテンツアイテムを記述する第１の記述子を、コンテンツアイテムを有する信号に挿入し、その信号を送信することができる構成要素42を有する。そのシステムは、第２の記述子により記述されたパーソナルメディアアイテムを有するパーソナルメディアのコレクションを格納することができる構成要素44を更に有する。そのシステムはまた、信号を受信し、第１の記述子と第２の記述子とを比較し、第１と第２の記述子との間に関係が存在する場合に、パーソナルメディアアイテムをコンテンツアイテムに組み込むことができる構成要素46を有する。構成要素42は、信号を衛星54に送信するためにパラボラアンテナ52を使用してもよく、構成要素46は、衛星54から信号を受信するためにパラボラアンテナ50を使用してもよい。代替として、構成要素42及び46は、他の無線又は有線通信技術を使用して通信してもよい。構成要素46は、ユニバーサルプラグアンドプレイ技術を使用することにより、構成要素44を検出可能でもよい。構成要素46は、ディスプレイ48(例えばCRT又はプラズマテレビ)を使用して個人用コンテンツアイテムを表示してもよい。構成要素46はまた、スピーカを使用して個人用コンテンツアイテムを再生してもよい。
【００３２】
パーソナルメディアアイテムをコンテンツアイテムに組み込む図１のステップ8は、個人写真をコンテンツアイテムに組み込むことを有してもよい。パーソナルメディアアイテムをコンテンツアイテムに組み込む図１のステップ8はまた、パーソナルメディアアイテムをコマーシャルに組み込むことを有してもよい。図５及び図６において、トロピカルアイランドの休暇の写真は、コマーシャルのビデオフレームに組み込まれて表示されている。第１の記述子はコンテンツアイテムを記述する。第２の記述子はパーソナルメディアアイテムを記述する。
【００３３】
少なくとも１つの記述子を使用することによりテキストを構成する図２のステップ15と、そのテキストをコンテンツアイテムに組み込む図２のステップ16とを実行した結果が、図５に示されている。図５は、休暇の写真64とテキスト66とを組み込んだビデオフレーム62を示している。休暇の写真64はハワイの島を示している。テキスト66は‘Maloaでハワイの休暇を思い出す’と書いてある。Maloaは空想のトロピカル飲料の名前である。休暇の写真の第２の記述子は、例えば‘休暇、ハワイ、島’を有してもよく、トロピカル飲料のコマーシャルの第１の記述子は、例えば‘トロピカル、島、飲料、Maola’を有してもよい。‘トロピカル、飲料’を有する第１の記述子と‘休暇’を有する第２の記述子との関係のテキストテンプレートは、例えば‘<名前>で<場所>の休暇を思い出す’を有してもよい。ハワイが場所として認識され、Maloaが飲料の名前として認識されてもよい。代替として、記述子はキーワード形式とキーワードとを有してもよい(例えば‘名前＝Maloa’又は‘場所＝ハワイ’)。ハワイ及びMaloaは、テキスト66を構成するためにテキストテンプレートに挿入されてもよい。
【００３４】
パーソナルメディアアイテムをコンテンツアイテムに組み込む図１のステップ8は、パーソナルメディアアイテムをコンテンツアイテムの印のある部分に組み込むことを有してもよい。図６において、コマーシャルのビデオフレーム82は、飛行機の写真84と、Maolaトロピカル飲料の図86と、Maolaの商標88とを有する。ビデオフレーム82は、個人写真64を印のある部分に組み込むことによりパーソナライズ化される。ビデオフレームの領域は、その領域に特定の色を使用することにより、又はその領域を囲む特定の線を描くことにより印が付けられてもよい。ビデオを有するコンテンツアイテムの一部は、その部分の全てのビデオフレームが少なくとも１つの印のある領域を有する場合に、印があるとみなされてもよい。コンテンツアイテムの一部はまた、コンテンツアイテムを有する信号のその部分を記述する不可視及び／又は不可聴の情報を埋め込むことにより印が付けられてもよい。
【００３５】
図７は、図６の例に関してコンテンツアイテムの印のある部分にパーソナルメディアアイテムを組み込む方法を示している。コンテンツアイテムはビデオフレーム100を有する。代替として、コンテンツアイテムは、オーディオフレーム、又は同期のオーディオ及びビデオフレームを有してもよい。ビデオフレーム100は、印のあるビデオフレーム102を有する。印のあるビデオフレーム102はビデオフレーム82を有する。図７において、印のあるビデオフレーム102はビデオフレーム100から取り除かれ、その後、個人写真64が印のあるビデオフレーム102の印のある部分に組み込まれる。最終的に、個人用の印のあるビデオフレーム102が、以前に取り除かれた位置のビデオフレーム100に挿入される。
【００３６】
パーソナルメディアアイテムをコンテンツアイテムに組み込む図１のステップ8は、パーソナルメディアアイテムを以下の位置：コンテンツアイテムの最初のフレームの前と、最後のフレームの後とのうち少なくとも１つに挿入することを有してもよい。これは図５の例に関して図７に示されている。図７において、個人写真64及びテキスト66は、新しいビデオフレーム62に組み込まれている。個人写真64は記憶手段から取り出されてもよい。テキスト66は、少なくとも１つの記述子を使用して構成されてもよい。ビデオフレーム62は、フレームのセット104を作るために複製されてもよい。フレームのセット104は、ビデオフレーム100の前及び／又は後に挿入されてもよい。
【００３７】
本発明について好ましい実施例に関して説明したが、前記の原理内でのその変更は当業者に明らかであり、そのため、本発明は好ましい実施例に限定されず、そのような変更を含むことを目的とすることがわかる。本発明は、あらゆる新規な特性及びあらゆる特性の組み合わせにある。特許請求の範囲の参照数字はその保護範囲を限定するものではない。“有する”及びその活用の動詞の使用は、特許請求の範囲に記載のもの以外の要素の存在を除外するものではない。要素の先行詞はそのような要素の複数の存在を除外するものではない。
【００３８】
当業者にわかるように、‘手段’は、単独で又は他の機能と共に、他の要素と分離して又は協力して、指定の機能を動作中に実行し又は実行するように設計された如何なるハードウェア(分離した又は統合の回路又は電子要素等)又はソフトウェア(プログラム又はプログラムの一部)を含むことを意味する。本発明は、複数の別個の要素を有するハードウェアを用いて、及び適切にプログラムされたコンピュータを用いて実装可能である。複数の手段を列挙した装置の請求項において、その手段のいくつかはハードウェアの同一のアイテムに具現されてもよい。‘コンピュータプログラム’は、フロッピー（登録商標）ディスクのようなコンピュータ読取可能媒体に格納された何らかのソフトウェア製品、インターネットのようなネットワークを介してダウンロード可能なもの、又はその他の方法で市場性のあるものを意味することがわかる。
【図面の簡単な説明】
【００３９】
【図１】本発明の方法のフローチャートである。
【図２】本発明の実施例の方法のフローチャートである。
【図３】本発明の電子装置の実施例のブロック図である。
【図４】本発明のシステムの実施例のブロック図である。
【図５】個人用ビデオフレームの第１の例である。
【図６】個人用ビデオフレームの第２の例である。
【図７】図５及び図６に関する図１の部分の概略表示である。
【図１】
2006508575.tif 000003
【図２】
2006508575.tif 000004
【図３】
2006508575.tif 000005
【図４】
2006508575.tif 000006
【図５】
2006508575.tif 000007
【図６】
2006508575.tif 000008
【図７】
2006508575.tif 000009
【国際調査報告】
2006508575.tif 000010
2006508575.tif 000011